(57)【要約】【課題】  紙葉類取扱部が取引口部と壁を隔てて設置される紙葉類取扱装置において、壁貫通穴の開口面積を小さくする。【解決手段】  取引される紙幣が投入又は放出される入出金口ユニット１０と、この入出金口ユニットに搬送路を介して連結され、紙幣の有効性を判別して紙幣の取込み処理及び放出処理を行う紙幣取扱ユニット１０１とを備えてなる紙幣取扱装置において、入出金口ユニットの搬送路と紙幣取扱ユニットの搬送路とが空間を空けて離して設けられ、入出金口ユニットと紙幣取扱ユニットの搬送路が接続搬送路ユニット６０で連結されてなるものとし、紙幣取扱ユニットを壁の内面側に設置して、入出金口ユニットだけを壁の貫通穴に設置することにより、壁の貫通穴の開口面積を小さくする。【選択図】  図１
2006209603.tif 000002
【特許請求の範囲】
【請求項１】
紙葉類が投入又は放出される取引口ユニットと、該取引口ユニットに紙葉類搬送路を介して連結され、紙葉類の有効性を判別して紙葉類の取込み処理及び放出処理を行う紙葉類取扱ユニットとを備えてなる紙葉類取扱装置において、
前記取引口ユニットの紙葉類搬送路と前記紙葉類取扱ユニットの紙葉類搬送路とが空間を空けて離して設けられ、前記取引口ユニットと前記紙葉類取扱ユニットの紙葉類搬送路が接続搬送路ユニットで連結されてなることを特徴とする紙葉類取扱装置。
【請求項２】
前記紙葉類取扱ユニットは、建物の壁の内面側に設置され、前記取引口ユニットは、前記壁を貫通して設けられた貫通穴内に位置させて設置されることを特徴とする請求項1に記載の紙葉類取扱装置。
【請求項３】
前記接続搬送路ユニットの紙葉類搬送路の前記紙葉類取扱ユニットとの連結端は、前記壁の内面側に位置させて設置されることを特徴とする請求項２に記載の紙葉類取扱装置。
【請求項４】
前記接続搬送路ユニットは、略水平な紙葉類搬送路を有することを特徴とする請求項1乃至３のいずれか１項に記載の紙葉類取扱装置。
【請求項５】
前記接続搬送路ユニットは、搬送方向に垂直な面であって、該面内に前記取引口ユニットと前記紙葉類取扱ユニットが存在しない面を有することを特徴とする請求項１乃至４のいずれか１項に記載の紙葉類取扱装置。
【請求項６】
前記取引口ユニットは、前記搬送路ユニットの紙葉類搬送路の一端側に連結されてなることを特徴とする請求項１乃至５のいずれか１項に記載の紙葉類取扱装置。
【請求項７】
前記取引口ユニットは、前記接続搬送路ユニットの上に少なくとも一部が重ねて配置され、
前記取引口ユニットの紙葉類搬送路は、前記接続搬送路ユニットの紙葉類搬送路の一端側に連結された縦方向の紙葉類搬送路を有することを特徴とする請求項１乃至５のいずれか１項に記載の紙葉類取扱装置。
【請求項８】
前記接続搬送路ユニットの紙葉類搬送路は、搬送方向を切換えて双方向に紙葉類を搬送可能に形成されてなることを特徴とする請求項１乃至７のいずれか１項に記載の紙葉類取扱装置。
【請求項９】
前記接続搬送路ユニットの紙葉類搬送路は、前記紙葉類取扱ユニットに向かう第１の搬送路と、前記取引口ユニットに向かう第２の搬送路とを備えて形成されてなることを特徴とする請求項１乃至７のいずれか１項に記載の紙葉類取扱装置。
【請求項１０】
前記取引口ユニットは、前記取引口に投入された紙葉類を１枚ずつ分離して取り込む分離手段と、前記取引口に紙葉類を放出する放出手段とを有し、前記分離手段の紙葉類搬送路と前記放出手段の紙葉類搬送路は、前記接続搬送路ユニットの1つの双方向紙葉類搬送路に合流して連結されてなる請求項1乃至7のいずれか1項に記載の紙葉類取扱装置。
【発明の詳細な説明】
【技術分野】
【０００１】
本発明は、紙葉類取扱装置に係り、例えば、紙幣の金庫を含む紙幣取扱装置の主要部と利用者がアクセスする入出金口部とを壁を隔てて設置される紙葉類取扱装置に関する。
【背景技術】
【０００２】
紙葉類取扱装置には、利用者がアクセスする入出金口と金庫を含む紙幣取扱装置の主要部を一体的に形成して、管理された部屋の中に設置される室内型の他に、壁に設けられた外部に開口する貫通穴部に、利用者がアクセスする入出金口を設け、金庫を含む紙幣取扱装置の主要部を壁の内面側に設置する壁埋め込み型が用いられている。
【０００３】
例えば、特許文献1に記載された壁埋め込み型の紙幣取扱装置によれば、金庫を壁の内面側に設置し、紙幣取扱装置の主要部及び入出金口を壁に設けた貫通穴内に突き出して配置することにより、厚い壁があっても入出金口を利用者に近付けて操作性の向上を図っている。
【０００４】
【特許文献１】特開２００４−１１０２８９号公報
【発明の開示】
【発明が解決しようとする課題】
【０００５】
ところで、壁埋め込み型の紙幣取扱装置を設置する場合、防犯上の観点から金庫などを硬く厚い壁を隔てて内部に設置することが好ましい。そのため、貫通穴の開口面積が小さい方が防犯上の観点から望ましく、かつ工事等のコストを抑えることができる。
【０００６】
しかし、特許文献1に記載された従来技術によれば、壁貫通穴の開口面積を小さくすることについて、十分な配慮がされていない。つまり、特許文献1によれば、取引される紙幣が投入又は放出される取引口を有する入出金口部と、取引される紙幣の有効性を判別して紙幣の取込み処理及び放出処理を行う紙幣取扱部とを一体的に組込んで構成していることから、壁の貫通穴部に位置される入出金口部の装置高さが高くなり、開口面積が大きくなることが余儀なくされる。
【０００７】
本発明は、紙葉類取扱部が取引口部と壁を隔てて設置される紙葉類取扱装置において、壁貫通穴の開口面積を小さくすることを課題とする。
【課題を解決するための手段】
【０００８】
本発明は、上記課題を解決するため、紙葉類が投入又は放出される取引口ユニットと、該取引口ユニットに紙葉類搬送路を介して連結され、紙葉類の有効性を判別して紙葉類の取込み処理及び放出処理を行う紙葉類取扱ユニットとを備えてなる紙葉類取扱装置において、前記取引口ユニットの紙葉類搬送路と前記紙葉類取扱ユニットの紙葉類搬送路とが空間を空けて離して設けられ、前記取引口ユニットと前記紙葉類取扱ユニットの紙葉類搬送路が接続搬送路ユニットで連結されてなることを特徴とする。
【０００９】
すなわち、取引口ユニットと紙葉類取扱ユニットを離して設置し、それらを接続搬送路ユニットで連結しているから、紙葉類取扱ユニットを壁の内面側に設置することができる。そして、取引口ユニットだけを壁の貫通穴に設置することができるから、取引口ユニットを紙葉類取扱ユニットに一体的に組み込んだ場合に比べて、壁の貫通穴の開口面積を小さくすることができる。
【００１０】
この場合において、紙葉類取扱ユニットは、建物の壁の内面側に設置され、取引口ユニットは、壁を貫通して設けられた貫通穴内に位置させて設置されることが好ましい。また、接続搬送路ユニットの紙葉類搬送路の紙葉類取扱ユニットとの連結端は、壁の内面側に位置させて設置されることが好ましい。
【００１１】
また、接続搬送路ユニットは、略水平な紙葉類搬送路を有して形成することができ、搬送方向に垂直な面であって、この面内に入出金口ユニットと紙葉類取扱ユニットが存在しない面を有するように形成することができる。
【００１２】
また、取引口ユニットを、搬送路ユニットの紙葉類搬送路の一端側に連接させて構成することが好ましい。これによれば、壁の貫通穴の開口面積は、入出金口ユニットの高さのみを考慮すればよい。
【００１３】
なお、これに代えて、入出金口ユニットを、接続搬送路ユニットの上に少なくとも一部を重ねて配置することができる。これによれば、壁の貫通穴の開口面積が接続搬送路ユニットの高さ寸法分だけ大きくなるが、続搬送路ユニットの高さは通常薄くできることに加え、壁の厚みが薄い場合などに対応することができる。この場合の取引口ユニットの紙葉類搬送路は、接続搬送路ユニットに接続する縦方向の搬送路を有して形成する必要がある。
【００１４】
また、接続搬送路ユニットの紙葉類搬送路は、搬送方向を切換えて双方向に紙葉類を搬送可能な一口搬送路として形成することができる。あるいは、紙葉類取扱ユニットに搬送する第１の搬送路と、入出金口ユニットに搬送する第２の搬送路とを備えた二口搬送路によって形成することができる。
【００１５】
さらに、取引口ユニットが、取引口に投入された紙葉類を１枚ずつ分離して取り込む分離手段と、取引口に紙葉類を放出する放出手段とを有してなる場合、分離手段の紙葉類搬送路と放出手段の紙葉類搬送路は、接続搬送路ユニットの一の双方向紙葉類搬送路に合流して連結することができる。
【発明の効果】
【００１６】
本発明は、紙葉類取扱部が取引口部と壁を隔てて設置される紙葉類取扱装置において、壁貫通穴の開口面積を小さくすることができる。
【発明を実施するための最良の形態】
【００１７】
（実施形態１）
本発明の紙葉類取扱装置の一実施形態を図１乃至図４を参照して説明する。図１は本発明の紙葉類取扱装置を金融機関などに設置される現金自動取引装置に適用した実施形態の側面から見た断面図、図２は図１の現金自動取引装置の斜視図、図３は制御装置の機能ブロック図、図４は図１の現金自動取引装置の要部詳細を示す断面図である。
【００１８】
図１に示すように、本実施形態の現金自動取引装置１００は、壁Ｗを貫通して設置される壁埋め込み（スルー・ザ・ウォール：Through The Wall）型の現金自動取引装置である。壁Wに形成された例えば矩形の貫通穴は、外壁面側から凹ませて形成されたフロントパネル１１０によって仕切られている。現金自動取引装置１００は、利用者ＵＳＲが紙幣を投入（入金）、又は利用者ＵＳＲへ紙幣を放出（出金）する入出金口ユニット１０と、取引される紙幣の有効性を判別して紙幣の取込み処理及び放出処理を行う紙幣取扱ユニット１０１、金庫１０９等を有して構成され、壁Wの内面側に設置されている。
【００１９】
フロントパネル１１０には、図２に示すように、裏面に、利用者のカードを処理し取引明細票を印字して放出するカード・明細票処理装置１０２と、利用者の通帳に取引内容を記帳する通帳処理装置１０３が設けられる。また、表面には、図２に示すように、利用者に案内を表示し利用者からの指示を入力する利用者操作部１０４とが設けられている。また、現金自動取引装置１００の内部には、本装置を監視制御する本体制御部１０５と、各構成部に電力を供給する電源部１０６が設けられている。
【００２０】
フロントパネル１１０の表面の凹み部に、奥行き側を高くした傾斜面が形成され、この傾斜面に開口が設けられ、この開口に臨ませて取引される紙幣が投入又は放出される取引口を有する入出金口ユニット１０が配置されている。入出金口ユニット１０と紙幣取扱ユニット１０１の紙幣搬送路は、接続搬送路ユニット６０により連結されている。
【００２１】
金庫１０９は、入金庫４１、出金庫４２及び還流庫４３等を囲う堅牢な鉄板などで構成される。入金庫４１は入金時の取引が成立した紙幣を収納する金庫である。出金庫４２は出金用の紙幣を収納する金庫である。還流庫４３は入出金兼用の金庫である。入金庫４１、出金庫４２及び還流庫４３と紙幣取扱ユニット１０１との間で紙幣を搬送する搬送路５０は、金庫１０９を貫通して設けられている。つまり、取引中を除いて全ての紙幣は金庫１０９内のみに存在し、これにより防犯性を高めている。また、金庫１０９は、通常閉鎖されており、定められた係員のみ開錠できるようになっており、必要に応じて、金庫１０９を開けて入金庫４１、出金庫４２、還流庫４３を引き出して保守作業を行うようにしている。
【００２２】
本体制御部１０５は、図３に示すように、紙幣取扱ユニット１０１、カード・明細票処理装置１０２、通帳処理装置１０３、及び利用者操作部１０４にバス１０７ａを介して接続されている。また、本体制御部１０５は、外部にあるホストコンピュータなどと接続を行うインターフェース部１０７ｂ、保守時などに係員が操作する係員操作部１０７ｃ、外部記憶装置１０７ｄにバス１０７ａを介して接続されている。これにより、本体制御部１０５は、現金自動取引装置１００に必要な制御を実行するとともに、外部との間で必要なデータのやり取りを行うようになっている。
【００２３】
ここで、図１に示す壁Ｗの厚さＷｔｈは、設置する建物により異なることから、壁の厚さＷｔｈが厚い場合は、壁の内面側に設置される紙幣取扱ユニット１０１と壁前面に設置されるフロントパネル１１０との距離が遠くなる。また、金庫１０９の壁厚さＳｔｈも様々であり、金庫１０９の壁厚さを厚くして重くするほど防犯性が向上するが、金庫の壁厚さを厚くするほど紙幣取扱ユニット１０１とフロントパネル１１０との距離が遠くなる。また、フロントパネル１１０が取り付けられる壁Wの貫通穴を、既設の壁に形成する場合は、工事のコスト低減のためには小さい方が望ましいばかりでなく、防犯性の観点からも小さい方が望ましい。
【００２４】
次に、フロントパネル１１０が取り付けられる壁Wの貫通穴を小さくすることができる本実施形態の特徴部である入出金口ユニット１０、紙幣取扱ユニット１０１及び接続搬送路ユニット６０の構成について、図４を用いて、詳細に説明する。紙幣取扱ユニット１０１は、紙幣の判別を行う紙幣判別部２０と、入金した紙幣を取引成立までの間一旦収納する一時保管庫３０と、入金リジェクト収納庫７０とを有して構成されている。これらの紙幣判別部２０と一時保管庫３０と入金リジェクト収納庫７０は、紙幣を搬送する搬送路５０によって接続されている。
【００２５】
入出金口ユニット１０は、シャッター１１を介してフロントパネル１１０の外部に開口された入出金口が設けられている。入金時や出金時など取引の必要なタイミングにおいて、シャッター１１が開き、利用者は紙幣１を入出金口へ投入、あるいは、入出金口から紙幣１を取り出すことができる。投入された紙幣１は、複数のローラからなる分離機構１２により、１枚ずつ分離されて接続搬送路ユニット６０に送られる。また、紙幣取扱ユニット１０１から接続搬送路ユニット６０により搬送されてきた紙幣は、紙幣を波型に変形させて紙幣を導くガイドと、弾性部材を放射状に配置し紙幣を入出金口の空間へ投げ入れ、集積済み紙幣下端を押さえ格納空間を確保するシートローラからなる集積機構１３により集積されて利用者へ放出される。
【００２６】
なお、図４の実施例では、入出金口ユニット１０の分離機構１２により紙幣が分離される紙幣の搬出口（分離口）と、集積機構１３の紙幣が搬送されてくる紙幣の搬入口（集積口）が同一の一口搬送路を用いているが、分離口、集積口を別に設けた二口搬送路を採用することもできる、
紙幣判別部２０は、接続搬送路ユニット６０から搬送路５０を介して搬送された紙幣の光学的及び磁気的特徴を測定し、搬送紙幣の金種や真偽などを判別する。また、紙幣判別部２０は、紙幣の複数枚の重なり（重送）、紙幣同士の短すぎる間隔（ショートピッチ）、大きな斜行（大スキュー）などを検知して、紙幣が搬送不適合であるか否かを判別する。
【００２７】
一時保管庫３０は、紙幣を巻き取る誘導テープ３１と、誘導テープ３１とともに搬送された紙幣を巻き取る回転ドラム３２と、誘導テープ３１のみを巻き取る巻き取り軸３３を有して構成される。一時保管庫３０は、回転ドラム３２と巻き取り軸３３それぞれを動かす独立した駆動モータを有し、紙幣を誘導テープ３１とともに回転ドラム３２に巻きつけ収納し、あるいは紙幣を誘導テープ３１と共に回転ドラム３２から放出する。つまり、一時保管庫３０は、搬送された紙幣を一時格納する部分であり、例えば、利用客が入金した紙幣を一時保管し、利用客が取引を認めた場合は入金庫４１又は還流庫４３へ収納し、認めない場合は紙幣を入出金口ユニット１０へ搬送して利用客へ現品を返却する。
【００２８】
入金リジェクト収納庫７０は、入金時に紙幣判別部２０で金種判定できなかった紙幣や、重送、ショートピッチおよび大スキューなどで搬送不適合と判断された紙幣が収納される。入金リジェクト収納庫７０は、弾性部材を放射状に配置したブラシローラと、ブラシローラと入り組んで設置され搬送された紙幣を摩擦力により止めるガイドからなる集積機構７１と、摩擦力によって紙幣を分離する複数のローラからなる分離機構７２から構成され、接続搬送路ユニット６０よりも壁の内面側に配置される。
【００２９】
入金庫４１は、弾性部材を放射状に配置したブラシローラと、ブラシローラと入り組んで設置され搬送された紙幣を摩擦力により止めるガイドからなる集積機構４１１と、集積機構４１１により集積された紙幣を、入金庫内部へ格納する格納機構４１２から構成される。入金庫４１には、還流しない入金だけの紙幣や、重送、ショートピッチおよび大スキューなどで搬送不適合と判断された紙幣を格納する。出金庫４２は、摩擦力によって紙幣を分離する複数のローラからなる分離機構４２１を有し、係員により出金庫４２内にセットされた紙幣を、搬送路５０へ１枚ずつ分離する。還流庫４３は、摩擦力によって紙幣を分離する複数のローラからなる分離機構４３１と、還流庫へ搬送される紙幣を格納空間へ投げ入れるシートローラで構成される集積機構４３２で構成される。入金取引時に搬送路５０で搬送された紙幣は集積機構４３２により集積される。また、出金取引時は、分離機構４３１で還流庫内の紙幣を搬送路５０へ放出する。ここで、本実施形態では、入金庫４１を１つ、出金庫４２を１つ、還流庫４３を２つ実装している例であるが、これらの組み合わせは自由であり、実装数も自由に設定できる。例えば、入金庫４１を２つ、還流庫４３を３つの組み合わせでもよい。
【００３０】
搬送路５０は、紙幣を挟むように設置されたベルトやローラと、ベルトやローラを駆動する駆動モータで構成される。さらに、搬送路５０の分岐点には電磁ソレノイドにより駆動する切り替えゲート５１があって、紙幣搬送方向を切り替えることができる。したがって、取引動作ごとに、駆動モータの回転方向と切り替えゲートを切り替えることで、紙幣は紙幣判別部２０を双方向に通過し、入金リジェクト収納庫７０、一時保管庫３０、入金庫４１、出金庫４２、還流庫４３それぞれの間を搬送される。
【００３１】
このように構成される入出金口ユニット１０、接続搬送路ユニット６０、紙幣取扱ユニット１０１、金庫１０９、搬送路５０などの各ユニットは、各ユニットの駆動モータや電磁ソレノイドなどのアクチュエータやセンサと接続された図示していない制御部によって、取引に応じて制御される。また、本体制御部１０５からの指令に応じて制御を行い、あるいは、それらの状態を本体制御部１０５へ報告するようになっている。
【００３２】
本実施形態の特徴に係る接続搬送路ユニット６０は、紙幣を挟むように設置されたベルトやローラで構成される。このとき、高さ方向の寸法を小さくするために、紙幣が搬送される面は略水平にすることが望ましい。ベルトやローラは搬送路５０を駆動する駆動機構にギヤを介して接続して駆動することができる。しかし、これに限らず、搬送路５０とは独立した駆動モータを備えて接続搬送路ユニット６０を独立して構成できる。また、接続搬送路ユニット６０は、図４に示すように、矢印ａおよび矢印ｂの双方向へ駆動可能な１本の搬送路のみで構成することができる。これによれば、高さ方向の寸法が薄い接続搬送路を実現できる。
【００３３】
また、接続搬送路ユニット６０の両端は、それぞれ入出金口ユニット１０と紙幣判別部２０の搬送路に接続される。また、接続搬送路ユニット６０は、入出金口ユニット１０、紙幣判別部２０とは独立して取り外すことが可能に形成され、接続搬送路ユニット６０を交換できるようになっている。これにより、例えば、接続搬送路ユニット６０の搬送路長さを変更することにより、フロントパネル１１０に接続された入出金口ユニット１０や、紙幣取扱ユニット１０１の構成を変えることなく、様々な厚さの壁や金庫に対応することが可能となる。
【００３４】
また、接続搬送路ユニット６０は、入出金口ユニット１０で分離した１枚ずつの紙幣だけを搬送するため、詰まりの発生を抑えることができる。また、入出金口ユニット１０での分離時に詰まった紙幣や異物は、入出金口ユニット１０内に留まるから、利用者が紙幣や異物の除去を行うことが可能である。そのため、係員が復旧するまで運用休止となるような事態になりにくい。
【００３５】
また、本実施形態の接続搬送路ユニット６０は、接続搬送路ユニット６０を通過する略垂直な任意の断面を考えたときに、接続搬送路ユニット６０以外の、入出金口ユニット１０、紙幣判別部２０、入金庫４１、出金庫４２、および還流庫４３などの紙幣取扱装置のユニットが存在しない断面Ａ−Ａが存在するように構成している。このような構成にすることで、壁の内面側の紙幣取扱ユニット１０１と、壁前面のフロントパネル１１０に接続される入出金口ユニット１０の間を、紙幣が搬送される接続搬送路ユニット６０のみで構成できるから、フロントパネル１１０への接続部の小型化を図ることができる。
【００３６】
また、紙幣取扱ユニット１０１は、保守作業のために、壁面から後方へ引き出されることがあり、この場合、壁面の貫通穴を接続搬送路ユニット６０と入出金口ユニット１０が通過することになる。したがって、壁面貫通穴を小さくするには、接続搬送路ユニット６０と入出金口ユニット１０の高さ方向の寸法を、できるだけ小さくすることが求められる。ところが、入出金口ユニット１０の高さは、扱う紙幣の大きさや、利用者の操作性などから、所定の大きさ以下にすることができない。そこで、接続搬送路ユニット６０の最大高さＴｈｉは、入出金口ユニット１０の最大高さＣｈｉよりも小さくなければならない。
【００３７】
次に、現金自動取引装置１００の取引時の動作について、図４を参照して説明する。現金自動取引装置１００は、カード、紙幣、明細票、通帳を媒体として、預け入れ、払い戻し、振り込み、通帳記帳、残高照会、両替などの取引を行う。最初に、利用者操作部１０４に実行可能な取引について案内表示を行う。利用者は利用者操作部１０４から行いたい取引を指示する。まず、預け入れが選択された場合について説明する。利用者により預け入れが選択されると、カードや通帳をカード・明細票処理装置１０２や通帳処理装置１０３へ挿入するよう利用者操作部１０４に案内する。カードや通帳を受け付けると、入出金口ユニット１０のシャッター１１を開き、紙幣の投入を待つ。利用者は入出金口ユニット１０に紙幣１を投入する。これにより、現金自動取引装置１００は入金処理の動作を開始する。
【００３８】
入出金口ユニット１０に投入された紙幣１は１枚ずつに分離され、接続搬送路ユニット６０内を矢印ａの方向に搬送されて搬送路５０へ送られる。そして、紙幣は搬送路５０を矢印ｃの方向へ通過し、紙幣判別部２０に搬送される。紙幣判別部２０では、紙幣の金種、真偽や搬送姿勢を判別する。受け入れ可能な紙幣は、矢印ｅの方向に搬送され一時保管庫３０に一旦収納される。紙幣判別部２０で金種判別できなかった紙幣や、重送、ショートピッチおよび大スキューなどで搬送不適合と判断された紙幣は、矢印ｆから矢印ｈの方向に搬送され入金リジェクト収納庫７０に一旦収納される。入金リジェクト収納庫７０に紙幣が収納された場合、入出金口ユニット１０が全ての紙幣を分離し終わった後、入金リジェクト収納庫は収納された紙幣を分離する。紙幣は、矢印ｊから矢印ｂの方向へ搬送され、入出金口ユニット１０に集積され、利用者に返却される。利用者は必要に応じて再度入出金口ユニット１０へ紙幣を投入することができる。
【００３９】
入金リジェクト収納庫７０に収納された紙幣も、入出金口ユニット１０に再投入される紙幣もなければ、利用者操作部１０４に計数金額を表示し、利用者に確認を求める。利用者により、計数金額が承認されると、一時保管庫３０の紙幣は、矢印ｇ、ｄの方向を通過して入金庫４１、還流庫４３のいずれかへ収納され、入金動作は完了する。その後、取引き結果に応じてカード・明細票処理装置１０２はカード・明細票を処理し、通帳処理装置１０３は通帳に記帳し、利用者へ放出する。以上で預け入れ取引は終了する。
【００４０】
次に、払い戻しが選択された場合について説明する。利用者により払い戻しが選択されると、カードや通帳をカード・明細票処理装置１０２や通帳処理装置１０３へ挿入するように利用者操作部１０４に案内する。カードや通帳を受け付けると、利用者操作部に暗証番号を入力するように案内する。利用者が暗証番号を入力し認証されると、続いて払い戻し金額を入力する様案内する。
【００４１】
その後、紙幣取扱ユニット１０１は、出金庫４２、あるいは還流庫４３より指定された金額の紙幣を搬送路５０へ繰り出す。繰り出された紙幣は矢印ｋの方向を通過し紙幣判別部２０に搬送される。紙幣判別部では、金種および搬送姿勢の確認が行われる。もし、利用者への出金が不適当と判別された紙幣は、矢印ｅを通過して、一時保管庫３０に一旦収納される。出金可能と判別された紙幣は矢印ｆ、矢印ｉ、矢印ｂを通過して入出金口ユニット１０に集積される。指定された金額が入出金口ユニット１０に集積されたら、シャッター１１を開き、利用者へ放出する。一時保管庫３０に紙幣が収納された場合、その紙幣は、矢印ｇ、矢印ｄの方向を通過し、入金庫４１に収納されて、出金動作は完了する。その後、取引き結果に応じてカード・明細票処理装置１０２はカード・明細票を処理し、通帳処理装置１０３は通帳に記帳し、利用者へ放出して払い戻し取引は終了する。
【００４２】
上述したように、本実施形態によれば、接続搬送路ユニット６０の長さ等を変更するだけで、様々な壁の厚さＷｔｈおよび金庫１０９の厚さＳｔｈに対応することが可能となる。また、フロントパネル１１０との接続部の構成を、利用者が投入した紙幣を分離する分離機構と、利用者へ放出する紙幣を集積する集積機構を備えた入出金口ユニット１０のみとしているから、壁の貫通穴に入出金口ユニット１０のみを設置でき、フロントパネル１１０との接続部を小型化して、壁面貫通穴を小さくすることができる。この場合において、接続搬送路ユニット６０と紙幣取扱ユニと１０１の連結端を壁内面側に位置すれば、紙幣取扱ユニット１０１のために壁の穴を広げる必要がなくなり、貫通穴を小さくできる。また、入出金口ユニット１０内で紙幣分離を実施するため、紙幣分離時に詰まった紙幣や異物の除去を簡単に行うことができる。
【００４３】
すなわち、一般の紙幣取扱装置の場合は、入出金口に投入された複数枚の紙幣を、一括搬送路により紙幣取扱ユニット内に送ってから分離することが考えられる。この場合は、一括搬送路を紙幣束を挟持できるベルトやローラなど比較的簡単な構造で実現できるため小型化の点では有効である。しかし、紙幣取扱ユニット内の分離時に詰まってしまった紙幣や、利用者が誤って投入してしまった紙幣内に混在していた異物などにより、取引が中断された場合にはその紙幣や異物を利用者へ返却する必要がある。しかし、分離部で詰まっている紙幣は大きく変形していることが多く、ガイドやローラなどの接触による搬送抵抗力が大きく、引き出すことが困難なことが多く、また引き出したとしても途中で再度詰まる恐れがある。また、分離部には分離するためのガイド形状やセンサやローラなどの構造物が実装されているが、硬貨やクリップなどの小さい異物がどこに存在しても確実に返却する搬送路を構築することは、これらの構造物との位置関係で困難であり、返却不能となったり、十分な挟持ができず、返却搬送途中で搬送路から落下し、再度搬送されるときの障害となる恐れもある。これらはいずれも、係員による復旧が必要な装置休止に陥る可能性が大きい。したがって、一括搬送は実施せず、本実施形態のように、紙幣分離はなるべく利用者に近い入出金口ユニット１０で行う方が望ましい。
【００４４】
（実施形態２）
図５に、本発明の他の実施形態の要部断面図を示す。本実施形態が図４の実施形態と異なる点は、入出金口ユニット１０を接続搬送路ユニット６０の上部に重ねて配置したことにある。その他の点は、図４の実施形態と同一であることから、同一の符号を付して説明を省略する。
【００４５】
図示のように、本実施形態の入出金口ユニット１０の最前部を、接続搬送路ユニット６０の最前部と同位置に設置している。この場合、フロントパネル１１０の貫通穴に位置されるのは入出金口ユニット１０と接続搬送路ユニット６０である。したがって、入出金口ユニット１０を含む部位の最大高さＣｈｉは、図５に示すように、入出金口ユニット１０と接続搬送路ユニット６０の高さの合計となる。
【００４６】
したがって、本実施形態によれば、壁貫通穴の小型化の効果は低いが、接続搬送路ユニット６０はベルトやローラで構成される簡単な構造であるから、接続搬送路ユニット６０の高さを小さくすることは容易である。なお、本実施形態では、接続搬送路ユニット６０と入出金口ユニット１０の最前部を一致させて配置する例を示したが、接続搬送路ユニット６０と入出金口ユニット１０が前後方向に一部重ねて配置することもできる。
【００４７】
（実施形態３）
図６に、本発明の他の実施形態の要部断面図を示す。本実施形態が図４、図５の実施形態と異なる点は、投入又は放出する紙幣の姿勢を略水平状態で入出金口ユニット１０Aに投入又は放出するようにし、これに合わせて紙幣の分離手段と集積手段を構成したことにある。つまり、図４、図５の実施形態では、入出金口ユニット１０における分離及び集積時の紙幣姿勢は略立位状態であるから、入出金口ユニット１０の高さ寸法は少なくとも取り扱う紙幣の短手寸法の最大値以上のとなる。また、接続搬送路ユニット６０の搬送路を略水平に形成していたから、入出金口ユニット１０の分離手段及び集積手段の立位状態へ屈曲させる必要がある。
【００４８】
この点、図６の実施形態の入出金口ユニット１０Ａは、略水平な紙幣姿勢で分離および集積を行うので、紙幣の短手寸法によらず、投入され得る最大紙幣枚数に応じた高さにすればよいから、高さ寸法Ｃｈｉを小さくできる。また、接続搬送路ユニット６０と搬送方向を変化させることなく接続できるから小型化に有利である。
【００４９】
（実施形態４）
図７に、本発明の他の実施形態の要部断面図を示す。本実施形態が図４、図５の実施形態と異なる点は、入出金口ユニット１０Ｂと接続搬送路ユニット６０Ｂの構成が相違すること、及び入金リジェクト収納庫７０を省略したことにある。
【００５０】
つまり、本実施形態の入出金口ユニット１０Ｂは、分離機構１２と集積機構１３の搬送路が独立しており、分離機構１２により紙幣が分離される紙幣の搬出口（分離口）と、集積機構１３の紙幣が搬送されてくる紙幣の搬入口（集積口）とが異なる二口搬送口の構成となっている。また、入出金口ユニット１０Ｂは、分離中に集積することが可能であり、分離紙幣と集積紙幣を分ける仕切板１４を有して構成されている。
【００５１】
また、接続搬送路ユニット６０Ｂは、入出金口ユニット１０Ｂの分離機構１２に接続している矢印ａ方向の一方向の搬送路と、入出金口ユニット１０Ｂの集積機構１３に接続している矢印ｂ方向の一方向の搬送路の２つを独立に有している。これにより、入出金口ユニット１０Ｂが紙幣を分離中であっても、放出紙幣を集積することがである。
【００５２】
本実施形態の入金及び出金の取引動作について、図４、図５の実施形態と異なる点についてのみ説明する。まず、入出金口ユニット１０Ｂに投入された紙幣１は、分離機構１２により１枚ずつに分離され、接続搬送路ユニット６０Ｂ内の矢印ａの搬送路を通過して搬送路５０へ搬送される。搬送路５０を矢印ｃの方向へ搬送された紙幣は紙幣判別部２０に達して紙幣の金種、真偽、搬送姿勢が判別される。、紙幣判別部２０の判定により受け入れ可能な紙幣は、矢印ｅの方向に搬送されて、一時保管庫３０に一旦収納される。一方、紙幣判別部２０で金種判別できなかった紙幣や、重送、ショートピッチおよび大スキューなどで搬送不適合と判断された紙幣は、矢印ｆから矢印ｉの方向に搬送され、接続搬送路ユニット６０Ｂ内の矢印ｂの搬送路を通過し、入出金口ユニット１０Ｂへ送られて集積される。この集積動作は、入出金口ユニット１０Ｂが分離中であっても実施可能である。入出金口ユニット１０Ｂが全ての紙幣を分離し終わった後、入出金口ユニット１０Ｂの取引口に紙幣が集積されている場合は、シャッター１１を開けて利用者に返却する。利用者は必要に応じて再度入出金口１０Ｂへ紙幣を投入することができる。
【００５３】
ここで、入出金口ユニット１０Ｂに再投入される紙幣がなければ、利用者操作部１０４に計数金額を表示し、利用者に確認を要求する。利用者により、計数金額が承認されると、一時保管庫３０の紙幣は、矢印ｇ、ｄの方向を通過して入金庫４１、還流庫４３のいずれかへ収納され、入金動作が完了する。
【００５４】
一方、出金の指示があると、出金庫４２あるいは還流庫４３より指定された金額の紙幣を搬送路５０へ繰り出す。繰り出された紙幣は、矢印ｋの方向を通過し紙幣判別部２０に搬送され、金種および搬送姿勢の確認が行われる。利用者への出金が不適当と判別された紙幣は、矢印ｅを通過して、一時保管庫３０に一旦収納される。出金可能と判別された紙幣は矢印ｉ、矢印ｂを通過して入出金口ユニット１０Ｂに集積される。指定された金額が入出金口ユニット１０Ｂに集積されたら、シャッター１１を開いて利用者へ放出する。一時保管庫３０に紙幣が収納された場合、その紙幣は、矢印ｇ、矢印ｄの方向を通過し、入金庫４１に収納される。以上で、出金動作が完了する。
【００５５】
本実施形態によれば、入金時に紙幣判別部２０で金種判別できなかった紙幣や、重送、ショートピッチおよび大スキューなどで搬送不適合と判断された紙幣があった場合、他の実施の形態のように入金リジェクト収納庫７０に一旦収納することなく、直接、入出金口ユニット１０Ｂに返却できる。そのため、入金リジェクト収納庫７０から入出金口ユニット１０へ再分離及び再集積を行う必要がなく、入出金口ユニット１０Ｂの分離動作が終わると、速やかに入金リジェクト紙幣が入出金口ユニット１０Ｂに集積されるので取引時間を短くできる。
【００５６】
以上説明したように、本発明の実施形態によれば、様々な壁の厚さＷｔｈ及び金庫１０９の厚さＳｔｈに対応することが可能で、紙幣取扱ユニット１０１のフロントパネル１１０に接続する接続部分を小型化することができ、壁面貫通穴の開口面積を小さくすることができる。また、紙幣分離時に詰まった紙幣や異物の除去を簡単に行える。
【００５７】
なお、上記の各実施形態において、本発明を紙幣取扱装置に適用した例を説明したが、本発明は紙幣に限られるものではなく、複数枚のカードを同時に扱うカード取扱装置に本発明を適用することができる。例えば、複数枚のカードを扱うカード・明細票処理装置の場合、カードの投入放出の取引口ユニットに分離機構が必要になるから、本発明を適用できる。その他、壁埋め込み型のＫＩＯＳＫ端末のような、装置本体と利用者の間に壁などの障害物があり、それを通過して複数枚の紙葉類を取り扱う場合に、取引口をなるべく小さくし、分離時に詰まった紙葉類や異物を利用者へ返却するのを容易にすることができ、信頼性向上に効果がある。
【図面の簡単な説明】
【００５８】
【図１】本発明の一実施形態の紙幣取扱装置の据付けた状態における側面から見た断面図である。
【図２】図1の実施形態の紙幣取扱装置の斜視図である。
【図３】図1の実施形態の紙幣取扱装置の制御ブロック図である。
【図４】図1の実施形態の紙幣取扱装置の詳細な断面図である。
【図５】本発明の他の実施形態の紙幣取扱装置の要部断面図である。
【図６】本発明の他の実施形態の紙幣取扱装置の要部断面図である。
【図７】本発明の他の実施形態の紙幣取扱装置の要部断面図である。
【符号の説明】
【００５９】
１  紙幣
１０、１０Ａ、１０Ｂ  入出金口ユニット
１２  分離機構
１３  集積機構
２０  紙幣判別部
３０  一時保管庫
４１  入金庫
４２  出金庫
４３  還流庫
５０  搬送路
５１  切り替えゲート
６０、６０Ｂ  接続搬送路ユニット
７０  入金リジェクト収納庫
７１  集積機構
７２  分離機構
１００  現金自動取引装置
１０１  紙幣取扱ユニット
１０９  金庫
１１０  フロントパネル
Ｗ  壁
【図１】
2006209603.tif 000003
【図２】
2006209603.tif 000004
【図３】
2006209603.tif 000005
【図４】
2006209603.tif 000006
【図５】
2006209603.tif 000007
【図６】
2006209603.tif 000008
【図７】
2006209603.tif 000009